(57)【要約】【技術課題】厳寒期に消防水利が凍結しても消防ポンプの取水ホースを防火水槽内に挿入して消火活動が行えるようにする。【解決手段】防火水槽１に取水パイプ７、８をあらかじめ取り付けておくと共に、この取水パイプ７、８内に閉塞部材１５、１６を着脱自在に挿入しておき、取水パイプ７、８内に水が入らないようにして取水パイプ７、８内の凍結を防いでおく。これにより、防火水槽１内に氷２１が張っても、消防ポンプの取水穴を確保することができる。【選択図】図４
2008119196.tif 000002
【特許請求の範囲】
【請求項１】
防火水槽の縁に固定するための固定手段を取り付けて成るブロック体から下方に向けて消防ポンプの取水ホースを防火水槽内の底部に向けて挿入するための取水パイプを取り付けたこと、
前記取水パイプの先端から内部に水が侵入して凍結するのを防止するための閉塞部材を該パイプ内に着脱自在に組み込んだこと、
を特徴とする防火水槽の凍結時に消防ポンプの取水ホースを水槽内に挿入して消防水利の利用を確保する防火水槽における取水装置。
【請求項２】
前記閉塞部材の上端には把手がつけられていて、この把手を利用して閉塞部材を取水パイプ内から引き上げたり、取水パイプ内に再挿入することができるように構成して成る請求項１に記載の防火水槽における取水装置。
【請求項３】
前記ブロック体の取水パイプには、口径の違うものが取り付けられていて、取水ホースの口径に合わせて用いることができるように構成したこと、を特徴とする請求項１又は２に記載の防火水槽における取水装置。
【請求項４】
前記取水パイプは、硬質塩化ビニルパイプで、閉塞部材は発泡スチロールであること、を特徴とする請求項１又は２又は３に記載の防火水槽における取水装置。
【請求項５】
防火水槽内に上方から水槽内の底部近くまで取水パイプを建て込むと共に、この取水パイプの先端側に外から着脱自在に閉塞部材を組み込むことにより、取水パイプ内に消防水利が入り込んで、該取水パイプ内が凍結しないように工夫したこと、を特徴とする成る防火水槽における取水装置。
【請求項６】
前記取水パイプに硬質塩化ビニルパイプが用いられていること、を特徴とする請求項５に記載の防火水槽における取水装置。
【請求項７】
前記取水パイプを防火水槽の建築時に防火水槽壁に構築したパイプ取付縁に取り付けて成る請求項５又は６に記載の防火水槽における取水装置。
【請求項８】
防火水槽の縁に固定された二重管から成る取水パイプの内外パイプ間に断熱材を充填すると共に、この取水パイプの上端開口に着脱自在に蓋を取り付けて成る防火水槽における取水装置。
【請求項９】
気体又は液体を充填しておくことにより、膨出状態を保持し、前記気体又は液体を排出することにより収縮する取水穴形成部材を防火水槽内に組み付けて成る防火水槽における取水装置。
【発明の詳細な説明】
【技術分野】
【０００１】
本発明は、厳寒期に防火水槽に厚い氷が張ったときでも消防ポンプの取水ホースを水槽内に挿入して消火活動を行うことができるようにするための取水装置に関するものである。
【背景技術】
【０００２】
全国の市町村には、火災発生時の消火用の水を確保しておくための防火水槽（消防水利）が確保されている。このような防火水槽は、通常野外にあることから、厳寒期には水槽内の消防水利に厚い氷が張ってしまう。このため、火災が発生した場合、消防団員や消防士は、ツルハシ等により氷を割ったり、ホルソーカッターを用いて氷に穴を空けているが、氷が薄い場合はとにかく、地方によっては氷の厚さが３０〜４０ｃｍにもなるため、この氷を割ったり穴を空けるには労力と時間がかかり、１秒を争う緊急時には大変まどろこしいと言う問題がある。
【０００３】
しかし、現在のところ、この防火水槽内の消防水利の凍結防止対策は全くとられていない。そこで、このような現状に鑑みて、特開平１０−０５９０５０号公報には、「特殊な耐震構造の湯沸かし器を、特に緊急車両に取り付けることにより、凍結した消防水利を解凍するために、車両に取り付ける基台と湯沸かし器本体とからなり、湯沸かし器本体内には電熱ヒーターを内蔵するとともに黒曜石等の天然石を浸漬させ、さらに該湯沸かし器本体を前記基台に対して振動吸収材を介在させて取り付けるようにしたもの」が提案されている。
【０００４】
しかし、この湯沸かし器で発生した熱湯を凍結した消防水利にかけても、厚くなった氷を融かして穴を確保するまでには時間がかかり、３０〜４０ｃｍ厚の氷の場合にはとても実用できるものではない。
特に、このような湯沸かし器は、消防車には積むことはできても、地域住民が組織している消防団とこの消防団が使用する消防ポンプ車等においては、常備することは困難である。
このような訳で、厳寒期（凍結期）には、氷を割るためのツルハシ又はホルソーカッターは必須であるが、穴を空けるまでに５〜１０分もかかることもあり、また、ホルソーカッターの場合は高価なために、市町村の消防団では常備することができず、その対策が要望されている。
【発明の開示】
【発明が解決しようとする課題】
【０００５】
本発明は、叙上の如き従来例に鑑みて提供されるものであって、その目的は、防火水槽に氷が張っても、直ちに取水して消火活動を行うことができる装置を提供することである。
【課題を解決するための手段】
【０００６】
上記目的を達成するため、請求項１に記載の発明においては、防火水槽の凍結時に消防ポンプの取水ホースを水槽内に挿入して消防水利の利用を確保する防火水槽における取水装置において、防火水槽の縁に固定するための固定手段を取り付けて成るブロック体から下方に向けて消防ポンプの取水ホースを防火水槽内の底部に向けて挿入するための取水パイプを取り付けたこと、
前記取水パイプの先端から内部に水が侵入して凍結するのを防止するための閉塞部材を該パイプ内に着脱自在に組み込んだこと、
を特徴とするものである。
【０００７】
更に、請求項２に記載の発明においては、請求項１に記載の防火水槽における取水装置において、前記閉塞部材の上端には把手がつけられていて、この把手を利用して閉塞部材を取水パイプ内から引き上げたり、取水パイプ内に再挿入することができるように構成して成ることを特徴とするものである。
【０００８】
更に、請求項３に記載の発明においては、請求項１又は２に記載の防火水槽における取水装置において、前記ブロック体の取水パイプには、口径の違うものが取り付けられていて、取水ホースの口径に合わせて用いることができるように構成したこと、を特徴とするものである。
【０００９】
更に、請求項４に記載の発明においては、請求項１又は２又は３に記載の防火水槽における取水装置において、前記取水パイプは、硬質塩化ビニルパイプで、閉塞部材は発泡スチロールであること、を特徴とするものである。
【００１０】
更に、請求項５に記載の発明においては、防火水槽における取水装置において、防火水槽内に上方から水槽内の底部近くまで取水パイプを建て込むと共に、この取水パイプの先端側に外から着脱自在に閉塞部材を組み込むことにより、取水パイプ内に消防水利が入り込んで、該取水パイプ内が凍結しないように工夫したこと、を特徴とするものである。
【００１１】
更に、請求項６に記載の発明においては、請求項５に記載の防火水槽における取水装置において、前記取水パイプに硬質塩化ビニルパイプが用いられていること、を特徴とするものである。
【００１２】
更に、請求項７に記載の発明においては、請求項５又は６に記載の防火水槽における取水装置において、前記取水パイプを防火水槽の建築時に防火水槽壁に構築したパイプ取付縁に取り付けて成ることを特徴とするものである。
【００１３】
更に、請求項８に記載の発明においては、防火水槽における取水装置において、防火水槽の縁に固定された二重管から成る取水パイプの内外パイプ間に断熱材を充填すると共に、この取水パイプの上端開口に着脱自在に蓋を取り付けて成ることを特徴とするものである。
【００１４】
更に、請求項９に記載の発明においては、防火水槽における取水装置において、気体又は液体を充填しておくことにより、膨出状態を保持し、前記気体又は液体を排出することにより収縮する取水穴形成部材を防火水槽内に組み付けて成ることを特徴とするものである。
【発明の効果】
【００１５】
請求項１〜８に記載の発明によると、防火水槽内に氷が張っても、直ちに消防ポンプの取水ホースを防火水槽内に挿入して消火活動を行うことができる。
また、請求項１〜４に記載の発明によると、防火水槽内に挿入された取水パイプ内に発泡スチロール製等の閉塞部材を挿入しておくことにより、この取水パイプ内において凍結する水位までは水が入り込まないから、取水パイプ内が凍結することはない。この結果、閉塞部材を取水パイプ内から引き抜くと、取水パイプ内に取水ホースの挿入口が確保される。よって、緊急時には直ちに消火活動に入ることができる。
また、請求項１〜８に記載の発明によると、低コストにより装置を防火水槽に取り付けることができる。
また、請求項５及び６に記載の発明によると、防火水槽の建築時に取水装置を設置することができる。
また、請求項７に記載の発明によると、取水パイプの数を任意に増やすことにより、任意の数の取水穴を確保することができる。
【実施例１】
【００１６】
図１〜図５に基づいて請求項１〜４に記載した発明に対応する実施例を詳述する。図１は、本発明に係る取水装置を取り付けた防火水槽の外観図、図２は防火水槽の平面図、図３は防火水槽の側面図、図４は取水装置の断面図、図５は消防ポンプの取水ホースを氷が張った防火水槽内に挿入して取水している状態の説明図である。
【００１７】
符号の１は、地面に構築されたコンクリート製の防火水槽、２はこの防火水槽１を取り囲むようにして設置された金網、３は有針鉄線、４は出入り口扉である。
５はこの出入り口扉４に近接して防火水槽１の縁１ａに固定された取水装置であって、この取水装置５は、発泡スチロール製から成る四角のブロック体６と、このブロック体６に上端が支持されている２本の硬質塩化ビニルパイプ製の取水パイプ７、８と、前記ブロック体６の先端側を防火水槽１の壁で支持する支持ステー９（図３）と、ブロック体６を防火水槽１の縁１ａに引っ掛けるようにして固定するための倒Ｌ字型の金具１０とから成る。
なお、本実施例の場合、取水パイプ７、８は、口径の違うものが２本取り付けられているが、これはポンプの取水（揚水）能力に対応するためのもので、場合によっては１本でも良い。あるいは、消防ポンプが２台以上の時に対応できるように、取水パイプは３本以上設けるようにしても良く、この本数は、本発明において限定されない。
【００１８】
１１、１２は前記ブロック体６の取水パイプ７、８の入口、１３、１４を塞ぐための蓋であって、この蓋１１、１２の下には、取水パイプ７、８内の先端側に向けて閉塞部材１５、１６が組み込まれていて、把手１７、１８を持って引き上げると、蓋１１、１２と閉塞部材１５、１６は一緒に取水パイプ７、８内から引き上げられて取水パイプ７、８内を貫通することができる。
なお、閉塞部材１５、１６は取水パイプ７、８の先端まで届くように挿入しても良いが、防火水槽１内の深さは通常１．５〜２ｍあり、氷の厚さはこの深さまで進むことはないので、取水パイプ７、８の先端まで届くように挿入する必要はない。つまり、凍結しない深さにおいては、取水パイプ７、８内に消防水利が入り込んでいても心配はない。
【００１９】
上記取水装置５は、１年中防火水槽１内に設置したままでも良いが、メンテナンス等を考えると、厳寒期だけ設置しておき、それ以外の季節は引き揚げて保管しておくようにしても良い。
厳寒期が訪れ、防火水槽１内の消防水利２０が図４に示すように凍結し、氷２１が張って来た状態で火災が発生し、消火活動を行うときは、図５に示すように、把手１７、１８に手を掛けて蓋１１、１２と閉塞部材１５、１６を取水パイプ７、８内から引き揚げると、取水パイプ７、８内が貫通するので、この中に取水ホース２２を挿入して消防水利２０を利用することができる。
消火活動が終った場合には、再度図４に示すように閉塞部材１５、１６と蓋１１、１２を取水パイプ７、８に挿入しておき、次の万一の火災時に備えておく。
【実施例２】
【００２０】
図６、図７に基づいて、請求項５〜７に記載した発明の実施例を詳述する。この発明は、実施例１のブロック体６を省略し、図６に示すように防火水槽１の水平縁１ｂに直接取水パイプ７、８を取り付けたり、図７に示すように、Ｌ型金具２３を用いて直接取水パイプ７、８を縁１ａに取り付ける例である。本実施例２において、閉塞部材１５、１６は、蓋１１、１２との間において軸２７、２８で連結されているケースで、この閉塞部材１５、１６は発泡スチロール製である。
なお、実施例１において、ブロック体６及び実施例１、２において、閉塞部材１５、１６は、コスト等も考慮して発泡スチロール製としているが、凍結しない材料ならば、例えばゴム製等であっても良い。
【実施例３】
【００２１】
本実施例３は、請求項８に記載の発明に対応するもので、図８、図９に示すように、二重管式の取水パイプ７、８間に断熱材、例えば発泡スチロール７ａ、８ａを充填し、蓋１１、１２で上端の開口を閉塞しておくことにより、取水パイプ７、８内の凍結を防ぐことにより、この取水パイプ７、８内に取水ホース２２の挿入スペースを確保しておくようにした例である。
【実施例４】
【００２２】
本実施例４は、請求項９に記載の発明に対応するもので、図１０に示すように、袋体２４内に圧縮気体又は不凍液のような液体２５を充填した取水穴形成部材２４を防火水槽１に固定しておき、この取水穴形成部材２４内から気体又は液体を充填口２６から抜いて収縮させることにより、ここに取水穴を確保するようにしたものである。
【図面の簡単な説明】
【００２３】
【図１】防火水槽の斜視図
【図２】防火水槽の平面図
【図３】防火水槽の断面図
【図４】取水装置の断面図
【図５】取水装置を利用して消火活動を行うときの説明図
【図６】防火水槽の水平縁に直接本発明に係る取水装置を取り付けた状態の説明図
【図７】金具を用いて防火水槽の縁に取水パイプを引っ掛けるようにして取り付けた状態の説明図
【図８】実施例３の断熱パイプ式取水装置の説明図
【図９】Ｃ−Ｃ´線断面図
【図１０】実施例４の風船式取水装置の説明図
【符号の説明】
【００２４】
１  防火水槽
６  ブロック体
７、８  取水パイプ
１１、１２  蓋
１５、１６  閉塞部材
【図１】
2008119196.tif 000003
【図２】
2008119196.tif 000004
【図３】
2008119196.tif 000005
【図４】
2008119196.tif 000006
【図５】
2008119196.tif 000007
【図６】
2008119196.tif 000008
【図７】
2008119196.tif 000009
【図８】
2008119196.tif 000010
【図９】
2008119196.tif 000011
【図１０】
2008119196.tif 000012